【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
端末に表示される申込情報入力画面の入力枠に組み込まれるプログラムであって、
前記入力枠に入力された情報に基づいて、秘匿情報として使用を禁止する文字例を生成し、前記申込情報入力画面に表示させる機能を端末に実行させることを特徴とするプログラム。
【請求項２】
端末に表示される申込情報入力画面の入力枠に組み込まれるプログラムであって、
前記秘匿情報入力枠に入力された情報と、請求項１におけるプログラムにおいて生成された秘匿情報として使用を禁止する文字例とを照合し、一致した文字列がある場合に、前記申込情報入力画面に秘匿情報の変更を促す表示を端末に実行させることを特徴とするプログラム。
【請求項３】
前記入力枠は、申込者の生年月日を入力する入力枠及び／又は電話番号を入力する入力枠であり、
前記秘匿情報は、暗証番号であることを特徴とする請求項１に記載のプログラム。
【請求項４】
前記入力枠は、申込者の生年月日を入力する入力枠及び／又は電話番号を入力する入力枠であり、
前記秘匿情報入力枠は、暗証番号入力枠であり、
前記秘匿情報は、暗証番号であることを特徴とする請求項２に記載のプログラム。
【請求項５】
申込情報の入力枠が複数設けられた申込情報入力画面を表示画面に表示して申込情報を入力するための端末であって、
前記入力枠に入力された申込情報に基づいて、秘匿情報として使用を禁止する文字例を生成し、当該文字列を前記申込情報入力画面に表示する表示手段と、
前記入力枠のうち秘匿情報入力枠に入力された申込情報と、前記秘匿情報として使用を禁止する文字例とを照合し、一致した文字例がある場合に、前記申込情報入力画面に秘匿情報の変更を促すメッセージを表示する照合手段と、
を有することを特徴とする端末。
【手続補正２】
【補正対象書類名】明細書
【補正対象項目名】全文
【補正方法】変更
【補正の内容】
【発明の詳細な説明】
【発明の名称】プログラム及び端末
【技術分野】
【０００１】
本発明は、プログラム及び端末に関し、詳しくは、通信端末の入力画面で秘匿情報を入力する際に、入力枠の近傍に入力ガイド情報を表示するプログラム及び端末に関する。
【背景技術】
【０００２】
通信端末を使用して、インターネットなどの入力画面で入会や、物品の購入を申し込む場合、コンピュータシステムへの不正アクセスから入力されたデータを護るために、また、成りすましによる不正を防止するために、申し込み時にＩＤとパスワードを入力させている。
パスワードを登録する際に登録したパスワードを忘れないように、パスワード申請時に数字だけのパスワードを指定された場合は、生年月日，電話番号などから抽出した数字を、アルファベットと数字を組み合わせた文字列のパスワードを指定された場合は自分の名前の一部を数字に組み合わせて申請していた。
このようなパスワードでは保険証，名刺，郵便物等に記載の情報から簡単に推測されて、解読されてしまうために、金融機関や、クレジットカード会社では、パスワードの設定時に自分の名前，生年月日，電話番号などは適用しないように指導してきた。
一方、パスワードをキー入力する代わりにＩＣカード等の記録媒体にパスワードや、生体情報を記録しておき、ＩＣカードの記憶部に記録されたパスワードや生体情報と端末に入力されたパスワードや生体情報とを照合する技術が提案されている。しかしながら、前記技術ではＩＣカード読取装置や、生体認証装置を入出力装置に接続しなければならず、システムが煩雑になるという課題があった。
これらの課題を解決すべく、パスワードを入力する代わりにグラフィックシンボルを画面上で選択することによってコンピュータシステムにログオンする方法が提案されている（例えば、特許文献１参照）。
この方法は、画面にグラフィックシンボルを表示し、シンボル毎にコードを割り当て、パスワード入力時にグラフィックシンボルを選択することでパスワードの入力を行うというものである。さらに、画面に表示されるグラフィックシンボルの表示位置を表示ごとに変化させるというものである。
【０００３】
【特許文献１】特開平１０−９７５００号公報
【発明の開示】
【発明が解決しようとする課題】
【０００４】
本発明では、通信端末の入力画面でパスワードなどの秘匿表示情報を入力する際に、安易に選択されて不正に利用されやすい個人情報に関連する文字列を入力枠の近傍に表示し、これらの文字列を使用しないようにガイドするプログラム及び端末を提供することを目的とする。
【課題を解決するための手段】
【０００５】
前記課題の目的を達成するために、請求項１に記載の発明は、端末に表示される申込情報入力画面の入力枠に組み込まれるプログラムであって、前記入力枠に入力された情報に基づいて、秘匿情報として使用を禁止する文字例を生成し、前記申込情報入力画面に表示させる機能を端末に実行させることを特徴とするものである。
また、請求項２に記載の発明は、端末に表示される申込情報入力画面の入力枠に組み込まれるプログラムであって、  前記秘匿情報入力枠に入力された情報と、請求項１におけるプログラムにおいて生成された秘匿情報として使用を禁止する文字例とを照合し、一致した文字例がある場合に、前記申込情報入力画面に秘匿情報の変更を促す表示を端末に実行させることを特徴とするものである。
【０００６】
また、請求項３に記載の発明は、請求項１に記載のプログラムにおいて、前記入力枠は、申込者の生年月日を入力する入力枠及び／又は電話番号を入力する入力枠であり、前記秘匿情報は、暗証番号であることを特徴とするものである。
また、請求項４に記載の発明は、請求項２に記載のプログラムにおいて、前記入力枠は、申込者の生年月日を入力する入力枠及び／又は電話番号を入力する入力枠であり、前記秘匿情報入力枠は、暗証番号入力枠であり、前記秘匿情報は、暗証番号であることを特徴とするものである。
【０００７】
また、請求項５に記載の発明は、申込情報の入力枠が複数設けられた申込情報入力画面を表示画面に表示して申込情報を入力するための端末であって、前記入力枠に入力された申込情報に基づいて、秘匿情報として使用を禁止する文字例を生成し、当該文字列を前記申込情報入力画面に表示する表示手段と、前記入力枠のうち秘匿情報入力枠に入力された申込情報と、前記秘匿情報として使用を禁止する文字例とを照合し、一致した文字例がある場合に、前記申込情報入力画面に秘匿情報の変更を促すメッセージを表示する照合手段と、を有することを特徴とするものである。
【発明の効果】
【０００８】
本発明によれば、以下のような効果がある。
１）端末の表示した申込情報入力画面の入力枠に情報を入力すると、申込情報入力画面に入力ガイド情報として、秘匿情報（以下、暗証番号ともいう。）として使用を禁止する番号（文字例）が表示されるため、暗証番号を入力する側は使用されると危険な番号が参照でき、不正が行われる際に推測され易い暗証番号を避けて入力することができる。
２）また、秘匿情報の入力ガイド情報には、先に入力された項目データ、例えば、生年月日，電話番号などのデータに基づいた文字例が表示されることによって、不正が行われる際に推測され易い文字列を暗証番号として設定する危険を避けることができる。
３）また、秘匿情報入力枠に入力された文字列と、入力ガイド情報として表示された文字列とを照合し、一致した文字列がある場合に、申込情報入力画面に秘匿情報の変更を促す表示がなされることによって、入力者が誤って好ましくない暗証番号を秘匿情報入力枠に入力した場合でも、例えば、入力枠内をフラッシュさせたり、入力枠近傍に警告メッセージを表示したりするために、入力された文字列が好ましいものではなかったことを入力者に伝えることができる。
【発明を実施するための最良の形態】
【０００９】
以下、図面を参照して本発明の好適な実施形態について説明する。
図１は、申込情報入力画面１の一例について説明するための図，図２は、暗証番号入力枠１９の近傍に設けられた入力ガイド情報表示枠１９０の一例について説明するための図，図３は、暗証番号入力枠１９の近傍に設けられた入力ガイド情報表示枠１９０と、入力枠の強調表示、またはメッセージ表示の一例について説明するための図，図４は、申込情報入力画面１への個人情報の入力手順の一例について説明するための図，である。
【００１０】
図１を参照して、申込情報入力画面１の一例について説明する。
例えば、通信端末を使用して、インターネットなどの入力画面でクレジットカードの会員となるために、インターネット上でクレジットカード会社のホームページを検索する作業から始まる。
クレジットカード会社の名前を画面の検索枠内に入力し、クレジットカード会社のホームページ画面を開く。次に、クレジットカード会社のホームページ画面で入会ボタンをクリックする。
希望するカードの種類，入会の方法を選択し、オンライン申し込みによる入会を選択する。
画面は、会員規約を表示して同意を求める。申込者は、同意ボタンをクリックして申込情報入力画面１を開く。
【００１１】
申込情報入力画面１が表示される。
申込情報入力画面１は、「電子フォーム」で構成され、複数設けられた入力枠には各種のプログラムが組み込まれている。
画面上方には、「入会申込書」なるタイトルが表示され、その下部に「注」として「入力項目の番号の順に上の項目から入力してください。」と記載されている。
入力者、即ち入会申込者は、片仮名氏名入力枠１１に、氏名「日本太郎」のフリガナとして「ニッポンタロウ」を入力することからスタートする。
次に、２番目に組み込まれている漢字氏名入力枠１２に、漢字で「日本太郎」を入力する。
さらに、３番目に組み込まれているローマ字氏名入力枠１３に「日本太郎」のローマ字標記として「Ｎｉｐｐｏｎ  Ｔａｒｏ」とアルファベットで入力する。
片仮名氏名入力枠１１と漢字氏名入力枠１２は、順番が入れ替わってもよい。
前記氏名関連情報の片仮名氏名入力枠１１，漢字氏名入力枠１２，ローマ字氏名入力枠１３には、入力された情報を会員データベースに格納されるためのファイルコードを添付または貼付（以下、貼付という。）するプログラム（貼付手段）等が組み込まれており、それぞれの入力情報にファイルコードが貼付される。
【００１２】
４番目に組み込まれている生年月日入力枠１４に西暦または年号で、生年月日を入力する。本実施の形態では、年号で「昭和６０年７月２７日」と入力した場合でも西暦に変換されて「１９８５年７月２７日」と表示される。
図示しないが、西暦で入力するか年号で入力するかは、選択ボタンで選択するようになっていて、選択ボタンを押すと、どちらかの入力枠が表示される。
生年月日入力枠１４には、前記ファイルコードが貼付される他に、入力された情報を９番目の入力項目の、暗証番号入力枠１９の参照情報として入力ガイド情報表示枠１９０に表示するためのプログラム（表示手段）が組み込まれている。
７番目の電話番号入力枠１７への電話番号の入力が終った時点で使用禁止番号例として生年月日に基づく入力ガイド情報が入力ガイド情報表示枠１９０に表示される。
【００１３】
５番目に組み込まれている性別情報入力枠１５には、申込者が男であれば「１」、女であれば「２」を入力する。
また、６番目に組み込まれている住所入力枠１６には、「東京都新宿区１−１−１」と申込者の住所を漢字で入力する。
７番目に組み込まれている電話番号入力枠１７には、数字で「０３−５６７８−９０１２」と自宅の電話番号を入力する。
８番目に組み込まれているメールアドレス入力枠１８には、メールアドレスを保有していれば、メールアドレスを「ａｂｃ＠ｅｆｇ．ｈｉｊ．ｎｅ．ｊｐ」と入力する。
上述の、性別情報入力枠１５，住所入力枠１６，電話番号入力枠１７，メールアドレス入力枠１８には、それぞれ入力された情報に前記ファイルコードを貼付するためのプログラム（貼付手段）が組み込まれ、電話番号入力枠１７には、入力された情報を９番目の入力項目の、暗証番号入力枠の参照情報として入力ガイド情報表示枠１９０に表示するためのプログラム（表示手段）が組み込まれている。
電話番号の入力が終った時点で、電話番号に基づく入力ガイド情報が使用禁止番号例として入力ガイド情報表示枠１９０に表示される。
【００１４】
本実施の形態では、暗証番号を４文字の数字だけで形成する例で説明しているために、入力ガイド情報表示枠１９０にはローマ字による使用禁止文字列は表示しないが、暗証番号をアルファベット，数字で構成される６〜１２桁の文字列で入力するように指定される場合は、前述の３番目のローマ字によるローマ字氏名入力枠１３に入力された入力情報に基づく入力ガイド情報も電話番号の入力が終った時点で入力ガイド情報表示枠１９０に使用禁止文字列例として表示される。
【００１５】
図２を参照して、暗証番号入力枠の近傍に設けられた入力ガイド情報表示枠１９０の一例について説明する。
本実施の形態では、４桁の数字で構成される文字列を暗証番号として暗証番号入力枠１９に入力するようにしている。
また、暗証番号入力枠１９に入力された暗証番号は、暗証番号入力枠１９に組み込まれた変換プログラム（変換手段）によって、入力した本人も数字として確認することができない「＊＊＊＊」なる秘匿表示情報として表示される。そのために、入会申込画面によっては、暗証番号入力枠を２つ設け、確認のために同じ暗証番号を２回入力させて、入力された文字列が間違いなかったことを確認させる場合もある。
暗証番号入力枠１９の下部には、使用禁止番号例を表示する入力ガイド情報表示枠１９０が組み込まれる。
入力ガイド情報表示枠１９０は、「使用禁止番号例」と表示されたメニューバーの下部に使用禁止番号例が表示されるようになっている。
この「使用禁止番号例」の中には、暗証番号として使用しないほうが好ましい文字列の例が表示される。
【００１６】
まず、入力ガイド情報表示枠１９０には暗証番号として使用しないほうが好ましい文字列の一つ、「並び番号など」の例が「１２３４」，「１１１１」〜「９９９９」と表示されている。
【００１７】
また、やはり、暗証番号として使用しないほうが好ましい文字列の例として、生年月日として入力された数字の文字列、例えば、西暦の最後の数字「５」と生まれた月日の数字「７２７」を組み合わせた文字列「５７２７」，西暦の下２桁の数字「８５」と生まれた日の数字「２７」を組み合わせた文字列「８５２７」，同じく生年の年号の数字「６０」と生まれた日の数字「２７」を組み合わせた文字列「６０２７」，生まれた月日の文字列「０７２７」が表示されている。
【００１８】
また、やはり、暗証番号として使用しないほうが好ましい文字列の例として、電話番号として入力された数字の文字列、例えば、電話番号の文字列「９０１２」，局番の文字列「５６７８」，局番と電話番号の下２桁を組み合わせた文字列「７８１２」，局番と電話番号の上の２桁を組み合わせた文字列「５６９０」が表示されている。
【００１９】
図３を参照して、暗証番号入力枠１９の近傍に設けられた入力ガイド情報表示枠１９０と、入力枠の強調表示、またはメッセージ表示の一例について説明する。
図２で説明したように、暗証番号入力枠１９に入力された暗証番号は、暗証番号入力枠１９に組み込まれた変換プログラムによって、入力した本人も数字として確認することができない「＊＊＊＊」のような秘匿表示情報として表示される。
そのために、暗証番号入力枠１９に組み込まれた照合プログラム（照合手段）によって、入力された暗証番号と、入力ガイド情報表示枠１９０に表示された「使用禁止番号例」が照合され、一致していた文字列がある場合に、暗証番号入力枠１９の内側に表示された「＊＊＊＊」を「点滅」させたり、「別の暗証番号を入力してください。」などの「メッセージ」（図示せず）を表示する。
また、図示しないが、入力された暗証番号が入力ガイド情報表示枠１９０に表示された「使用禁止番号例」の何れかと一致していた場合に、入力ガイド情報表示枠１９０に表示されている「一致していた文字列」を点滅させるなどの方法を講じることもできる。
【００２０】
図４を参照して、申込情報入力画面１への個人情報の入力手順の一例について，クレジットカード入会申込の例で説明する。
入会申込者は、通信端末の表示画面にインターネット検索画面を表示し、クレジットカード会社のホームページを開き、クレジット会員入会の申込情報入力画面１を表示する（ステップ１：以下Ｓ１と表示）。
申込情報入力画面１で個人情報の一つである氏名情報を、片仮名氏名，漢字氏名，ローマ字氏名の３通りで入力する（Ｓ２）。
次に、生年月日，性別情報，住所，電話番号を入力する（Ｓ３）。
ついで、メールアドレスを入力する（Ｓ４）。
Ｓ３で入力され、入力ガイド情報表示枠１９０に表示された生年月日，電話番号に基づく入力ガイド情報を避けて暗証番号を決定し、暗証番号入力枠に暗証番号を入力する（Ｓ５）。
【産業上の利用可能性】
【００２１】
本発明に係る入力支援のためのプログラム及び端末は、インターネット経由で会員を募集するクレジットカード業界の申込情報入力画面、キャッシュカードを発行する金融機関の口座開設申込画面等に利用できる。
【図面の簡単な説明】
【００２２】
【図１】申込情報入力画面の一例について説明するための図である。
【図２】入力ガイド情報表示枠の一例について説明するための図である。
【図３】入力ガイド情報表示枠と、入力枠の強調表示、またはメッセージ表示の一例について説明するための図である。
【図４】申込情報入力画面への個人情報の入力手順の一例について説明するための図である。
【符号の説明】
【００２３】
１      申込情報入力画面
１１    フリガナ氏名入力枠
１２    漢字氏名入力枠
１３    ローマ字氏名入力枠
１４    生年月日入力枠
１５    性別情報入力枠
１６    住所入力枠
１７    電話番号入力枠
１８    メールアドレス入力枠
１９    暗証番号入力枠
１９０  入力ガイド情報表示枠
【手続補正３】
【補正対象書類名】図面
【補正対象項目名】図１
【補正方法】変更
【補正の内容】
【図１】
2006201899.tif 000001
【手続補正４】
【補正対象書類名】図面
【補正対象項目名】図４
【補正方法】変更
【補正の内容】
【図４】
2006201899.tif 000002